(57)【要約】【課題】単純な方法で装飾性および立体感を付与した計器装置を提供する。【解決手段】  裏カバー１と、光源３と、光源３が搭載される回路基板２と、回路基板２上に配置されるケース体５と、光源３によって照明される表示板６と、表示板６の前面側を覆う前面カバー８と、前面カバー８が設置される上カバー９とからなる表示装置において、表示板６は、第１の表示部６１と、第１の表示部６１の外周に設けられ所定の装飾意匠を発光表示する第２の表示部６２とから構成され、光源３は少なくとも第１の表示部６１を照明する第１の光源３１と、第２の表示部６２を照明する第２の光源３２とからなり、前面カバー８は、第２の表示部６２を通過した第２の光源３２の光を集光することにより光輝する集光部８１を有する。【選択図】  図２
2011013001.tif 000002
【特許請求の範囲】
【請求項１】
裏カバーと、光源と、光源が搭載される回路基板と、回路基板上に配置されるケース体と、光源によって照明される表示板と、表示板の前面側を覆う前面カバーと、前面カバーが設置される上カバーとからなる表示装置において、表示板は、第１の表示部と、第１の表示部の外周に設けられ所定の装飾意匠を発光表示する第２の表示部とから構成され、前記光源は少なくとも前記第１の表示部を照明する第１の光源と、前記第２の表示部を照明する第２の光源とからなり、前記前面カバーは、前記第２の表示部を通過した前記第２の光源の光を集光することにより光輝する集光部を有することを特徴とする表示装置。
【請求項２】
前記集光部は、前記表示板側から前記上ケースの端部に向かうに従って厚みが変化する傾斜面を持つように形成されていることを特徴とする請求項１記載の表示装置。
【請求項３】
前記第２の表示部は、前記光源の光が透過できる位置であって、且つ前記前面カバーの前記集光部以外の領域を介して前記表示板を見た際に可視範囲外に位置することを特徴とする請求項１及び請求項２に記載の表示装置。
【発明の詳細な説明】
【技術分野】
【０００１】
本発明は、例えば車両用の計器装置に関し、特に装飾性および立体感を付与した計器装置に関するものである。
【背景技術】
【０００２】
従来の車両用の計器装置において、装飾性を持たせたものとして、例えば下記特許文献１がある。特許文献１に記載された計器用装飾部品（計器装置）は、文字板２に施された表示意匠領域の周囲に円環状の装飾リング８を取り付けたものである。
【先行技術文献】
【特許文献】
【０００３】
【特許文献１】特開２００７−７１７２７号公報
【発明の概要】
【発明が解決しようとする課題】
【０００４】
しかしながら、特許文献１の計器装置においては、装飾リングが専用部品であるため、装飾リングの加工や装飾リングを文字板に装着するために、装着穴を設ける必要があるなど、構造的にも複雑で、コストアップは否めない。また、文字板の表面から装飾リングまでの高さ（距離）が比較的低いので立体感に乏しいという問題点があった。
【課題を解決するための手段】
【０００５】
そこで、本発明はこの様な点に鑑みなされたもので、裏カバーと、光源と、光源が搭載される回路基板と、回路基板上に配置されるケース体と、光源によって照明される表示板と、表示板の前面側を覆う前面カバーと、前面カバーが設置される上カバーとからなる表示装置において、表示板は、第１の表示部と、第１の表示部の外周に設けられ所定の装飾意匠を発光表示する第２の表示部とから構成され、前記光源は少なくとも前記第１の表示部を照明する第１の光源と、前記第２の表示部を照明する第２の光源とからなり、前記前面カバーは、前記第２の表示部を通過した前記第２の光源の光を集光することにより光輝する集光部を有するものである。
【０００６】
また、本発明は、前記集光部は、前記表示板側から前記上ケースの端部に向かうに従って厚みが変化する傾斜面を持つように形成されているものである。
【０００７】
また、本発明は、前記第２の表示部は、前記光源の光が透過できる位置であって、且つ前記前面カバーを介して前記表示板を見た際に可視範囲外に位置するものである。
【発明の効果】
【０００８】
単純な方法で装飾性および立体感を付与した計器装置を提供する。
【図面の簡単な説明】
【０００９】
【図１】本発明における第１の実施形態を示す計器装置の正面図
【図２】図１のＡ−Ａ断面図
【図３】第１の実施形態の集光部の要部拡大図
【図４】第２の実施形態の集光部の要部拡大図
【図５】第３の実施形態を示す計器装置の断面図
【発明を実施するための形態】
【００１０】
以下添付図面に基づいて、本発明を適用した指針式表示装置の実施形態を説明する。
【００１１】
図１、図２において指針式表示装置は、裏カバー１と、回路基板２と、光源３と、駆動源４と、ケース５と、表示板６と、指針７と、前面カバー８と、上カバー９とを備えている。
【００１２】
裏カバー１は、例えばポリプロピレン等、無着色の合成樹脂からなり、回路基板２の裏側（観察者側とは反対側）を覆うように配置される。
【００１３】
回路基板２は、例えばガラスエポシキ樹脂からなる周知の硬質回路基板であり、駆動源４と光源３に電力供給を行う図示しない回路パターンを有する。
【００１４】
光源３は、回路基板２上（観察者側）に複数設置される、例えばトップビュータイプの発光ダイオードであり白色に発光し、第１の光源３１は後述する第１の表示部を透過照明し、第２の光源３２は後述する第２の表示部を透過照明する。
【００１５】
駆動源４は、例えばステッピングモーターを適用でき、指針軸４１を有し、この指針軸４１が指針７と連結される。また駆動源４は、その本体部が回路基板２の背面側に位置し、指針軸４１が回路基板２を貫通して前方側に延びている。
【００１６】
ケース５は、例えば白色の合成樹脂からなり、仕切り壁によって内部を区画することで反射部５１と、筒部５２とを有し、回路基板２の観察者側に配置されている。
【００１７】
表示板６は、例えば、透光性合成樹脂板にスクリーン印刷を施してなるもので、第１の光源３１によって照明される第１の表示部６１と、第２の光源３２から照明される第２の表示部６２とから構成される。表示板６はケース５によって回路基板２上に支持されている。
【００１８】
第１の表示部６１は、背景となる例えば黒色の遮光性の地部６１１内に形成された、速度等を示す目盛や数字等の透光性の指標部からなる。
【００１９】
第２の表示部６２は、第１の表示部６１の外周に位置して地部６１１内に形成された例えば青色などのスクリーン印刷層からなり、第２の光源３２からの光が透過することで、リング状に発光する。第１の表示部６１と第２の表示部６２との境界部分が、運転者が前面カバー８の後述する集光部を除いた領域を介して計器を見た際に可視範囲外になるように、第１の表示部６１の外周に位置するように設けられる。
【００２０】
指針７は、透光部材７１と、指針カバー７２とで構成される。
【００２１】
前面カバー８は、例えば、透過部材からなり、表示板６及び指針７を覆っている。上カバー９の中央部分には、開口窓が設けられ、表示板６が透視可能なように、前面カバー８が嵌め込まれている。
【００２２】
前面カバー８と上カバー９との嵌め込み箇所には、前面カバー８と一体形成された集光部８１が設けられている。図３にて示すように、集光部８１は表示板６側から上ケース９の端部に向かうに従って厚みが増すように変化する傾斜した面からなる集光面８２を有している。
【００２３】
第２の光源３２から出射した光は、筒部５２内を第２の表示部６２方向へ進み、第２の表示部６２を透過することでリング状に発光し、その光の一部が集光部８１で集光されて集光面８２から運転者の方向へ出射する。これにより運転者はリング状の発光意匠を視認することになる。
【００２４】
また、第２の実施形態として図４に示すように、集光面８２が湾曲面からなる場合も想定できるが、第１の実施形態と同様に、第２の光源３２から出射した光は、第２の表示部６２を透過して、集光部８１に到達し、集光されて集光面８２から運転者の方向へ出射するように構成されている。
【００２５】
また、第３の実施形態として図５に示すように、第２の光源３２で第２の表示部６２を照明する代わりに、反射部５１を第２の表示部６２裏側まで延長して、同じ空間内を第１の光源３１の照明光のみで照明するように構成してもよい。
【００２６】
本発明によれば、裏カバー１と、光源３と、光源３が搭載される回路基板２と、回路基板２上に配置されるケース体５と、光源３によって照明される表示板６と、表示板６の前面側を覆う前面カバー８と、前面カバー８が設置される上カバー９とからなる表示装置において、表示板６は、第１の表示部６１と、第１の表示部６１の外周に設けられ所定の装飾意匠を発光表示する第２の表示部６２とから構成され、光源３は少なくとも第１の表示部６１を照明する第１の光源３１と、第２の表示部６２を照明する第２の光源３２とからなり、前面カバー８は、第２の表示部６２を通過した第２の光源３２の光を集光することにより光輝する集光部８１を有することによって、個別に部品を用いることなく、立体感のある装飾を付与した計器装置を提供することができる。
【００２７】
また本発明によれば、集光部８１は、表示板６側から上カバー９の端部に向かうに従って厚みが変化する傾斜面を持つように形成されていることから、下方にある表示部を上方でみることができるので、立体感のある装飾を付与した計器装置を提供することができる。
【００２８】
また本発明によれば、第２の表示部６２は、第２の光源３２の光が透過できる位置であって、且つ前面カバー８を介して表示板６を見た際に可視範囲外に位置することによって、運転者からはリング状の装飾部のみが視認されるため、見栄えを確保したまま、立体感のある装飾を付与した計器装置を提供することができる。
【符号の説明】
【００２９】
１    裏カバー
２    回路基板
３    光源  
４    駆動源
５    ケース体
６    表示板
７    指針
８    前面カバー
９    上カバー
３１  第１の光源
３２  第２の光源
５１  反射部
５２  筒部
６１  第１の表示部
６２  第２の表示部
８１  集光部
８２  集光面
【図１】
2011013001.tif 000003
【図２】
2011013001.tif 000004
【図３】
2011013001.tif 000005
【図４】
2011013001.tif 000006
【図５】
2011013001.tif 000007